(57)【要約】【課題】部品点数を減らして組立作業の効率化を図るとともに、製造コストの低減化を図ることができるようにする。【解決手段】光源となる発光ダイオード５及び発光ダイオード５を発光させるための各種素子類７等を搭載するとともに、その裏面側には回路等の形成された基盤１１を一体的に有するハウジング１と、ハウジング１内に設置されるものであって発光ダイオード５からの光を反射させる役目を果たすリフレクタ２と、リフレクタ２を内部に有した状態でハウジング１と共に全体を密封状態に保持するものであって透明体からなるレンズ３と、からなる。上記ハウジング１は、全体がカップ状の形態からなるものであって、その底部１５のところには、バスバー１１１あるいは発光ダイオード５を初めとした各種素子類７等を搭載するためのマウント部１１２等を有する基盤１１が一体的に形成されるようになっている。【選択図】図２
2006331967.tif 000002
【特許請求の範囲】
【請求項１】
発光ダイオードを光源とする車両用灯具において、光源となる発光ダイオード及び当該発光ダイオードを発光させるための各素子を搭載する基盤を、上記発光ダイオードの周りに設けられるものであって当該発光ダイオードからの光を反射させるリフレクタ等の収容されるハウジングと一体化させるようにしたことを特徴とする車両用灯具。
【請求項２】
請求項１記載の車両用灯具において、上記ハウジングの外面側に、電源側に連結されるプラグの嵌り込むソケット部を一体的に設けるようにした構成からなることを特徴とする車両用灯具。
【発明の詳細な説明】
【技術分野】
【０００１】
本発明は、発光ダイオード（ＬＥＤ）を光源とするとともに、これらＬＥＤ及び当該ＬＥＤ励起用の部品等を基盤上に集約した状態で搭載するようにし、これによって全体の構成を簡略化した発光ダイオード（ＬＥＤ）を光源とする車両用灯具に関するものである。
【背景技術】
【０００２】
従来の発光ダイオードを用いた車両用灯具としては、例えば特開２０００−１００２１９号公報記載のもの等が挙げられる。これらのものは、光源を形成する発光ダイオード並びに当該発光ダイオードを発光させるための各種素子等が所定の基盤上に搭載されるとともに、このような基盤及びリフレクタ等がハウジング内に設置され、更には、このような基盤及びリフレクタ等の表面側に透明体からなるレンズが装着されることによって車両用灯具が形成されるようになっているものである。
【特許文献１】特開２０００−１００２１９号公報
【発明の開示】
【発明が解決しようとする課題】
【０００３】
ところで、上記従来のものは、裏面に所定の回路等の形成された特定の基盤上に複数個の発光ダイオード（ＬＥＤ）等が設置されるとともに、このような基盤を基礎に、当該基盤の一部に設けられた電源端子等に、電源入力用のハーネス等が連結されるようになっているものである。従って、この従来のものにおいては、基盤を初めとした各部（パーツ）の構成が複雑となり、ハウジング内への各パーツの組込作業等が煩雑にならざるを得ないと言う問題点がある。このような問題点を解決するために、基盤とハウジングとを一体化し、また、ハウジングの裏面側（外側）に電源プラグ差込用のソケット部を一体的に設けるようにした、構造の簡略化された車両用灯具を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、発光ダイオードを光源とする車両用灯具に関して、光源となる発光ダイオード及び当該発光ダイオードを発光させるための各素子を搭載する基盤を、上記発光ダイオードの周りに設けられるものであって当該発光ダイオードからの光を反射させるリフレクタ等の収容されるハウジングと一体化させるようにした構成を採ることとした。
【０００５】
また、請求項２記載の発明である第二の発明においては、請求項１記載の車両用灯具に関して、上記ハウジングの外面側に、電源側に連結されるプラグの嵌り込むソケット部を一体的に設けるようにした構成を採ることとした。
【発明の効果】
【０００６】
第一の発明によれば、ハウジングと一体化された基盤を基礎に、このような基盤上に発光ダイオード及び各種素子を搭載することによって発光部を形成させることができるようになり、発光ダイオードを主に形成される車両用灯具について、全体の部品点数が少なくなり、組立作業の効率化を図ることができるようになる。また、第二の発明によれば、本車両用灯具を形成するハウジングの外側の面にはソケット部が一体的に形成されるようになっているので、本車両用灯具には、従来のものにおいて存在していた電源入力用のハーネス部等が存在せず、外表面部の全体構成がすっきりとした形態にて形成されるようになる。その結果、本車両用灯具の搬送時、あるいは車体への組付作業時等において、ハーネス部がからみ付くと言うような問題点の生ずることがなくなり、組付作業時等における作業性の向上を図ることができるようになる。
【発明を実施するための最良の形態】
【０００７】
本発明を実施するための最良の形態について、図１ないし図３を基に説明する。本実施の形態に関するものは、図１に示す如く、光源となる発光ダイオード５及び当該発光ダイオード５を発光させるための各種素子７等を搭載するとともに、その裏面側には回路等の形成された基盤１１を一体的に有するハウジング１と、当該ハウジング１内に設置されるものであって上記発光ダイオード５からの光を反射させる役目を果たすリフレクタ２と、当該リフレクタ２を内部に有した状態で上記ハウジング１と共に全体を密封状態に保持するものであって透明体からなるレンズ３と、からなることを基本とするものである。
【０００８】
このような基本構成からなるものにおいて、上記ハウジング１は、図１及び図２に示す如く、全体がカップ状の形態からなるものであって、その底部１５のところには、バスバー１１１あるいは発光ダイオード５を初めとした各種素子類７等を搭載するためのマウント部１１２等を有する基盤１１が一体的に形成されるようになっているものである。そして、このようなハウジング１のハウジング部１２のところにはリフレクタ２が収容されるようになっているものである。
【０００９】
このリフレクタ２は、図１及び図２に示す如く、光源を形成する各発光ダイオード５の発光点を焦点とする回転倣物面からなる凹面の一部にて形成される反射面２１の集合体からなるものである。具体的には、図２及び図３に示す如く、上記のような反射面２１が複数個放射状に設置されることによってリフレクタ２が形成されるようになっているものである。従って、このような構成からなるリフレクタ２の各反射面２１にて反射された光束は平行光束となって前方へと照射されることとなる。
【００１０】
このように、上記ハウジング１内に、光源となる発光ダイオード５、更にはリフレクタ２等が設置された状態において、全体を密封状態に保持するように上記ハウジング１を形成するハウジング部１２の先端部のところに取付けられるレンズ３は、図１ないし図３に示す如く、全体がアクリル系樹脂等の透明体にて形成されるようになっているものである。
【００１１】
そして更に、上記ハウジング１を形成する底部１５のところであって、その外側のところには、図２に示す如く、プラグ６の差し込まれるソケット部１９が、上記ハウジング１の底部１５のところに一体的に形成されるようになっているものである。そして、このようなソケット部１９のところには、基盤１１を形成するバスバー１１１に接続されるものであって発光ダイオード５を発光させるための低圧電力あるいは各種素子類７の作動を制御するための制御信号等の入力される接続ピン１９１が設けられるようになっているものである。
【００１２】
なお、このような構成からなるものにおいて、上記接続ピン１９１は、上記ハウジング１の底部１５から連続して、かつ、一体的に形成されたソケット部１９の壁部１９９にて全体が覆われるようになっているものである。従って、例えば図２に示す如く、このソケット部１９のところにプラグ６が嵌め込まれた状態においては、上記接続ピン１９１は液密状にシールされることとなる。このように、接続ピン１９１の周りを囲むようにハウジング１の底部１５と一体的にソケット部１９の壁部１９９を設けるようにしたので、プラグ６との接続部におけるシール性の向上が図られるようになる。また、本実施の形態のものにおいては、ハウジング１の外側の面にはソケット部１９が一体的に形成されるようになっているので、本車両用灯具には、従来のものにおいて存在していた電源入力用のハーネス部等が存在せず、外表面部の全体構成がすっきりとした形態にて形成されるようになった。その結果、本車両用灯具の搬送時、あるいは車体への組付作業時等において、ハーネス部がからみ付くと言うような問題点の生ずることがなくなり、組付作業時等における作業性の向上を図ることができるようになった。
【図面の簡単な説明】
【００１３】
【図１】本発明の全体構成を示す展開斜視図である。
【図２】本発明の全体構成を示す断面図である。
【図３】本発明の主要部をなす発光ダイオード、各素子類の配置状態を示す正面図である。
【符号の説明】
【００１４】
１  ハウジング
１１  基盤
１１１  バスバー
１１２  マウント部
１２  ハウジング部
１５  底部
１９  ソケット部
１９１  接続ピン
１９９  壁部
２  リフレクタ
２１  反射面
３  レンズ
５  発光ダイオード
６  プラグ
７  素子
【図１】
2006331967.tif 000003
【図２】
2006331967.tif 000004
【図３】
2006331967.tif 000005